(57)【特許請求の範囲】
【請求項１】
空気吸込口から空気吹出口に至る送風路が形成され、前記送風路内に設置され前記空気吸込口から吸い込んだ空気を前記空気吹出口から吹き出すファンと、前記送風路内の送風を加湿する加湿ユニットと、を備えた髪ケア装置において、
前記加湿ユニットは、筒状部と、当該筒状部の内周面および外周面のうち少なくともいずれか一方に設けられる加湿部と、を有する筒状加湿体を複数備えるとともに、当該加湿部に液体を供給する液体供給部を備え、前記複数の筒状加湿体の側面にその側壁の内外を貫通する複数の空気通過孔を設け、前記筒状加湿体の断面を正六角形状に形成して相互に密接配置してハニカム構造を形成したことを特徴とする髪ケア装置。
【請求項２】
前記送風路内に、当該送風路内の送風を加熱するとともにその作動を切換可能なヒータを設けたことを特徴とする請求項１に記載の髪ケア装置。
【請求項３】
前記複数の筒状加湿体を、送風路の内周に沿って配列したことを特徴とする請求項１または２に記載の髪ケア装置。
【請求項４】
前記複数の筒状加湿体を、それぞれから吐出された空気が所定範囲内に集束するように配列したことを特徴とする請求項１〜３のうちいずれか一つに記載の髪ケア装置。
【請求項５】
前記液体供給部は、空気を冷却して水分を結露させる液体生成部を含むことを特徴とする請求項１〜４のうちいずれか一つに記載の髪ケア装置。
【請求項６】
前記加湿ユニットを、前記送風路から分岐した分岐通路内に配置したことを特徴とする請求項１〜５のうちいずれか一つに記載の髪ケア装置。
【請求項７】
前記送風路の空気吹出口に、前記複数の筒状加湿体のうちいずれかの空気出口を閉塞する閉塞体を設けた着脱部材を着脱自在に取り付けたことを特徴とする請求項１〜６のうちいずれか一つに記載の髪ケア装置。
【請求項８】
空気と接触する前記加湿部の外面が蒸気透過膜で覆われていることを特徴とする請求項１〜７のうちいずれか一つに記載の髪ケア装置。
【発明の詳細な説明】
【技術分野】
【０００１】
本発明は、加湿機能を備えた髪ケア装置に関する。
【背景技術】
【０００２】
従来、ヘアドライヤーなどの髪ケア装置において、加湿機能を付加したものが知られている（例えば、特許文献１参照）。
【特許文献１】実開昭６２−１９９００３号公報
【発明の開示】
【発明が解決しようとする課題】
【０００３】
しかしながら、上記特許文献１に開示される髪ケア装置では、送風路またはフードの内面に加湿材を設けるとともに、加湿する際には加湿材を一旦取り外し、水に浸した後に再度取り付けて、加湿可能な状態を得るようになっていた。このため、手間がかかり、使い勝手が悪いものとなっていた。
【０００４】
さらに、上記特許文献１には、加湿材に水分を供給する加水容器を設けた例も開示されるが、かかる加水容器を設けた場合にも加湿材自体が送風路やフードの内面に沿った環状であるため、加湿性能が当該内面の大きさに依存することになり、加湿性能を高めるのに限界があった。
【０００５】
そこで、本発明は、加湿性能をより高めることが可能な髪ケア装置を得ることを目的とする。
【課題を解決するための手段】
【０００６】
請求項１の発明は、空気吸込口から空気吹出口に至る送風路が形成され、上記送風路内に設置され上記空気吸込口から吸い込んだ空気を上記空気吹出口から吹き出すファンと、上記送風路内の送風を加湿する加湿ユニットと、を備えた髪ケア装置において、上記加湿ユニットは、筒状部と、当該筒状部の内周面および外周面のうち少なくともいずれか一方に設けられる加湿部と、を有する筒状加湿体を複数備えるとともに、当該加湿部に液体を供給する液体供給部を備え、上記複数の筒状加湿体の側面にその側壁の内外を貫通する複数の空気通過孔を設け、上記筒状加湿体の断面を正六角形状に形成して相互に密接配置してハニカム構造を形成したことを特徴とする。
【０００７】
請求項２の発明は、上記送風路内に、当該送風路内の送風を加熱するとともにその作動を切換可能なヒータを設けたことを特徴とする。
【０００８】
請求項３の発明は、上記複数の筒状加湿体を、送風路の内周に沿って配列したことを特徴とする。
【００１０】
請求項４の発明は、上記複数の筒状加湿体を、それぞれから吐出された空気が所定範囲内に集束するように配列したことを特徴とする。
【００１２】
請求項５の発明は、上記液体供給部は、空気を冷却して水分を結露させる液体生成部を含むことを特徴とする。
【００１３】
請求項６の発明は、上記加湿ユニットを、上記送風路から分岐した分岐通路内に配置したことを特徴とする。
【００１４】
請求項７の発明は、上記送風路の空気吹出口に、上記複数の筒状加湿体のうちいずれかの空気出口を閉塞する閉塞体を設けた着脱部材を着脱自在に取り付けたことを特徴とする。
【００１５】
請求項８の発明は、空気と接触する上記加湿部の外面が蒸気透過膜で覆われていることを特徴とする。
【発明の効果】
【００１６】
請求項１の発明によれば、内周面および外周面のうち少なくともいずれか一方に加湿部を有する筒状加湿体を複数設けたため、加湿部の空気との接触面積を大きく確保しやすくなって、加湿性能を高めやすくなる。また、空気が空気通過孔を通過して筒状加湿体の内外側を通過する空気が互いに混じる分、加湿効率を向上することができる。さらに、筒状加湿体と空気との接触面積を増大して加湿効率をより向上することができる。
【００１７】
請求項２の発明によれば、ヒータの作動を切り換えて得られる温風状態と冷風状態の双方について、加湿状態を得ることができる。
【００１８】
請求項３の発明によれば、複数の筒状加湿体を送風路の内周に沿って配列したので、筒状加湿体の数をより多くして加湿量を増大できるとともに、送風路内で送風を加湿できる範囲を拡大することができる。
【００２０】
請求項４の発明によれば、加湿された送風が拡散するのを抑制して、加湿したい毛髪部分を集中的に加湿することができる。
【００２２】
請求項５の発明によれば、液体を補給することなく加湿部に水分を供給できるので、使い勝手を向上することができる。
【００２３】
請求項６の発明によれば、送風路から吹き出す加湿されない送風と、分岐通路から吹き出す加湿された送風と、を適宜に使い分けることができる。
【００２４】
請求項７の発明によれば、着脱部材の着脱によって加湿量を比較的容易に調節することができる。
【００２５】
請求項８の発明によれば、蒸気透過膜によって加湿部から気化した成分のみを通過させつつ、加湿部から液体が漏れるのを抑制することができる。
【発明を実施するための最良の形態】
【００２６】
以下、本発明の好適な実施形態について、図面を参照しながら詳細に説明する。なお、以下の複数の実施形態には、同様の構成要素が含まれている。よって、以下では、同様の構成要素について共通の符号を付与するとともに、重複する説明を省略する。
【００２７】
（第１実施形態）図１〜図４は、本発明の第１実施形態を示しており、図１は、本実施形態にかかる髪ケア装置としてのヘアドライヤーの送風路の断面図、図２は、送風路の空気吹出口側の側面図、図３は、図１中III−III線に沿った断面図、図４は、加湿ユニットの一つの筒状加湿体と液体供給部とを示す拡大断面図である。
【００２８】
図１に示すように、本実施形態の髪ケア装置としてのヘアドライヤー１には、送風ファン２により空気吸込口３ａから導入した空気を空気吹出口３ｂから吹き出す送風路３が形成されている。また、送風路３内の送風を加湿する加湿ユニット４を設けてある。
【００２９】
送風路３は、所定長さの円筒状外郭３ｃの内方に形成してあり、その一端側（図中右側）に空気吸込口３ａを形成し、他端側（図中左側）に空気吹出口３ｂを形成してある。また、空気吸込口３ａ近傍の送風路３内には、送風ファン２を配置してある。なお、各図では、円筒状外郭３ｃ部分のみを示しているが、当該円筒状外郭３ｃの下側には図示省略したグリップを設けてある。このグリップには送風ファン２やヒータ等の作動を切り換えたり、風量を調節したりするスイッチを設けてある。
【００３０】
送風ファン２は、図示省略したステーによって円筒状外郭３ｃに支持したファンモータ２ａと、このファンモータ２ａによって送風路３のほぼ中心軸上で回転するファンブレード２ｂと、を備え、所謂軸流式ファンとして構成されている。
【００３１】
加湿ユニット４は、複数の筒状加湿体５と液体供給部としてのタンク６とを含んでいる。筒状加湿体５は、図４に示すように、筒状部５ａと、この筒状部５ａの内周面に取り付けた加湿部５ｂと、を含んでいる。
【００３２】
複数の筒状加湿体５は、中心軸が送風路３内を通過する送風方向とほぼ平行となる姿勢で配置してある。空気は、空気入口５ｃから筒内に入り空気出口５ｄから出る。
【００３３】
また、加湿部５ｂは、保水性に富む材料、例えば、フェルト、スポンジ、不織布、織布、紙、多孔質のセラミック、発泡金属などの材料によって形成される。
【００３４】
タンク６は、図１に示すように、円筒状外郭３ｃの上側外面に設置した密閉容器６ａを備えており、この密閉容器６ａ内に液体としての水Ｌを貯留するようになっている。密閉容器６ａの上側面には、図４に示すように注水口６ｂを取り付けてあり、この注水口６ｂには着脱自在にキャップ６ｃを設けて密閉してある。
【００３５】
また、密閉容器６ａの底面には、上述した筒状加湿体５の筒状部５ａの空気入口５ｃ側端部と連結する厚肉の連結部７を突設してある。そして、連結部７の肉厚内部には、加湿部５ｂの空気入口５ｃ側端部に連通する隙間７ａを形成し、その隙間７ａに保水材８を挿入してある。
【００３６】
保水材８は、例えば、加湿部５ｂと同様に、フェルト、スポンジ、不織布、織布、紙、多孔質のセラミック、発泡金属などの材料によって形成することができる。この保水材８は、一端部を密閉容器６ａ内に突出して貯留した水Ｌ中に浸漬するとともに、他端部を加湿部５ｂの空気入口５ｃ側端に接触させてある。
【００３７】
したがって、タンク６内に貯留した水Ｌは保水材８に含浸され、そして、水Ｌの自重や毛細管現象によって保水材８に接触した筒状加湿体５の加湿部５ｂへと浸透し、当該加湿部５ｂに保水される。
【００３８】
このとき、加湿部５ｂの、空気と接触する外面、つまり、本実施形態では加湿部５ｂの内周面は、蒸気透過膜５ｅで覆ってある。ここで、蒸気透過膜５ｅとは、水Ｌなどの液体の液相状態での通過を遮断しつつ、空気や蒸気などの気相状態での通過を許容する膜である。
【００３９】
さらに、本実施形態では、図２および図３に示すように、複数の筒状加湿体５を送風路３の内周に沿って配列してある。すなわち、複数の筒状加湿体５は、互いに隣接する筒状部５ａを相互に連結して全体的に円筒状外郭３ｃの内周に沿った環状に形成してある。
【００４０】
各筒状加湿体５は、タンク６の連結部７に結合しており、各筒状加湿体５の加湿部５ｂと連結部７の隙間７ａに挿入した保水材８とを接触させてある。したがって、一つのタンク６から各筒状加湿体５の加湿部５ｂに水分供給できるようになっている。
【００４１】
上記構成のヘアドライヤー１では、送風ファン２を作動することにより送風路３内に送風が発生し、その送風は空気吹出口３ｂから吹き出す。このとき、送風路３内を通過する送風の一部は筒状加湿体５を通過し、その筒状加湿体５を通過した空気は、内周面の加湿部５ｂから気化した水分を取り込んで送風を加湿する。したがって、空気吹出口３ｂから吹き出す送風を加湿することができ、その加湿した送風で毛髪を整髪することができる。
【００４２】
ここで、本実施形態によれば、加湿ユニット４を複数の筒状加湿体５とタンク６とを備えて構成してあり、筒状加湿体５は、内周面に加湿部５ｂを有する筒状となっている。こうすることで、加湿部５ｂの空気との接触面積を大きく確保しやすくなって、加湿性能を高めやすくなる。
【００４３】
また、タンク６は、これに貯留した水Ｌ中に浸漬した保水材８を介して筒状加湿体５の加湿部５ｂに水分を供給できるので、加湿部５ｂを比較的長期に亘って湿潤状態に保持でき、これによって十分な加湿状態を持続させることができる。
【００４４】
さらに、本実施形態では複数の筒状加湿体５を送風路３の内周に沿って配列したので、筒状加湿体５の数をより多くして加湿量を増大できるとともに、送風路３内で送風を加湿できる範囲を拡大することができる。
【００４５】
さらにまた、筒状加湿体５の加湿部５ｂが空気と接触する外面（内周面）を蒸気透過膜５ｅで覆ったので、その蒸気透過膜５ｅによって加湿部５ｂから気化した成分のみを通過させつつ、加湿部５ｂから液体が漏れるのを防止することができる。
【００４６】
（第２実施形態）図５は、本発明の第２実施形態にかかる加湿ユニットの一つの筒状加湿体と液体供給部とを示す拡大断面図である。
【００４７】
本実施形態にかかる髪ケア装置としてのヘアドライヤーは、上記第１実施形態と基本的には同様の構成を備えている。
【００４８】
すなわち、本実施形態にかかる加湿ユニット４０は、筒状加湿体５０と液体供給部としてのタンク６とを備え、筒状加湿体５０の加湿部５ｂに保持した水分の気化によって、送風路３内を通過する送風を加湿するものである。
【００４９】
ただし、筒状部５ａの内周面のみならず外周面にも加湿部５ｂ′を取り付けた点が、上記第１実施形態と相違している。
【００５０】
もちろん、外周面に取り付けた加湿部５ｂ′についても、内周面の加湿部５ｂと同様に、その空気入口５ｃ側端がタンク６の水Ｌ中に浸漬した保水材８と接触しており、この保水材８から水分の供給を受けるようになっている。
【００５１】
また、本実施形態にあっても、筒状部５ａの内周面および外周面にそれぞれ取り付けた加湿部５ｂ、５ｂ′の空気と接触する外面、つまり、加湿部５ｂの内周面と加湿部５ｂ′の外周面をそれぞれ蒸気透過膜５ｅで覆ってある。
【００５２】
したがって、本実施形態によれば、第１実施形態と同様の作用効果を奏するのはもちろんのこと、筒状加湿体５の内周面および外周面を加湿部５ｂ、５ｂ′で覆ったので、筒状加湿体５の内外側を通過する空気が内周面の加湿部５ｂのみならず外周面の加湿部５ｂ′にも接触する。したがって、送風と加湿部５ｂ、５ｂ′との接触面積が増大して加湿効率をさらに向上することができる。
【００５３】
（第３実施形態）図６は、本発明の第３実施形態にかかる加湿ユニットの一つの筒状加湿体と液体供給部とを示す拡大断面図である。
【００５４】
本実施形態にかかる髪ケア装置としてのヘアドライヤーも、上記第１実施形態と基本的には同様の構成を備えている。
【００５５】
すなわち、本実施形態にかかる加湿ユニット４１は、筒状加湿体５１と液体供給部としてのタンク６とを備え、筒状加湿体５１の加湿部５ｂに保持した水分の気化によって、送風路３内を通過する送風を加湿するものである。
【００５６】
ただし、筒状加湿体５１の側面に内外を連通する複数の空気通過孔５ｆを設けた点が、上記第１実施形態と相違している。
【００５７】
また、筒状加湿体５１には、第２実施形態と同様に、筒状部５ａの内周面および外周面に加湿部５ｂ、５ｂ′を設けてあり、また、それら加湿部５ｂ、５ｂ′の空気と接触する外面を蒸気透過膜５ｅで覆ってある。このため、空気通過孔５ｆは、筒状部５ａと加湿部５ｂ、５ｂ′と蒸気透過膜５ｅとをそれぞれ貫通しており、加湿部５ｂ、５ｂ′および蒸気透過膜５ｅに形成した空気通過孔５ｆの内周を、筒状部５ａから突出した薄肉筒状部５ａ′によって留めてある。
【００５８】
したがって、本実施形態によれば、筒状加湿体５１の内周面および外周面に加湿部５ｂ、５ｂ′を設けたことにより、第２実施形態と同様の作用効果を奏するのはもちろんのこと、さらに、筒状加湿体５１の側面に複数の空気通過孔５ｆを設けたので、それら空気通過孔５ｆを空気が通過して筒状加湿体５１の内外側を通過する空気が互いに混じる分、加湿効率を向上することができる。
【００５９】
なお、空気通過孔５ｆは複数設けた筒状加湿体５の全てに形成することは必須ではない。また、空気通過孔５ｆは一つの筒状加湿体５に対して複数形成することも必須ではない。
【００６０】
（第４実施形態）図７は、本発明の第４実施形態にかかる加湿ユニットの複数の筒状加湿体と液体供給部とを示す拡大断面図である。
【００６１】
本実施形態にかかる髪ケア装置としてのヘアドライヤーは、上記第１実施形態と基本的には同様の構成を備えている。
【００６２】
すなわち、本実施形態にかかる加湿ユニット４２は、筒状加湿体５２と液体供給部としてのタンク６とを備え、筒状加湿体５２の内周面に設けた加湿部５ｂに保持した水分の気化によって、送風路３内を通過する送風を加湿するものである。
【００６３】
ただし、複数の筒状加湿体５２を、それぞれから吐出された空気が所定範囲内に集束するように配列した点が、上記第１実施形態と相違している。具体的には、複数の筒状加湿体５２の空気出口５ｄ側（の中心軸）を所定範囲Ａ内に向けて指向させてある。
【００６４】
したがって、本実施形態によれば、第１実施形態と同様の作用効果を奏するのはもちろんのこと、複数の筒状加湿体５２を、それぞれから吐出された空気が所定範囲内に集束するように配列したので、加湿された送風が拡散するのを抑制して、加湿したい毛髪部分を集中的に加湿することができる。
【００６５】
なお、本実施形態にあっても筒状加湿体５２は、第２実施形態に示すように内周面および外周面に加湿部５ｂ、５ｂ′を設けることが好ましく、また、第３実施形態に示すように空気通過孔５ｆを設けることが好ましい。
【００６６】
（第５実施形態）図８は、本発明の第５実施形態にかかる送風路の空気吹出口側の側面図である。
【００６７】
本実施形態にかかる髪ケア装置としてのヘアドライヤーも、上記第１実施形態と基本的には同様の構成を備えている。
【００６８】
すなわち、本実施形態にかかる加湿ユニット４３は、筒状加湿体５３と液体供給部としてのタンク６とを備えている。
【００６９】
ただし、本実施形態では、複数の筒状加湿体５３の断面を正六角形として相互に密接配置し、ハニカム構造とした点が、上記第１実施形態とは相違している。
【００７０】
したがって、本実施形態によれば、第１実施形態と同様の作用効果を奏するのはもちろんのこと、複数の筒状加湿体５３の断面を正六角形としてハニカム構造を形成したので、筒状加湿体５３と空気との接触面積を増大して加湿効率をより向上することができる。
【００７１】
なお、本実施形態にあっても、加湿部５ｂの外面に蒸気透過膜５ｅ（図４参照）を設けることができるし、筒状加湿体５３に空気通過孔５ｆ（図６参照）を設けることができる。
【００７２】
（第６実施形態）図９および図１０は本発明の第６実施形態を示しており、図９は、ヘアドライヤーの送風路の断面図、図１０は、加湿ユニットの一つの筒状加湿体と液体供給部とを示す拡大断面図である。
【００７３】
本実施形態にかかる髪ケア装置としてのヘアドライヤー１Ａも、上記第１実施形態と基本的には同様の構成を備えている。加湿ユニット４４は、複数の筒状加湿体５４と液体供給部とを備えている。
【００７４】
ただし、本実施形態では、液体供給部が空気を冷却して空気中の水分を結露させる液体生成部としてのペルチェユニット６０を含んでいる点が、上記第１実施形態とは相違している。ペルチェユニット６０は送風路３内に配置されるとともに、筒状加湿体５４に対して送風の上流側に配置してある。
【００７５】
ペルチェユニット６０は、図１０に示すように、熱電素子６０ａを挟んで一対の電極板６０ｂ，６０ｃを配置して概ね構成してあり、両電極板６０ｂ，６０ｃ間に通電することにより、一方の電極板６０ｂが冷却されるとともに、他方の電極板６０ｃが加熱され、その電極板６０ｃの熱を放熱フィン６０ｄによって逃がすようになっている。
【００７６】
そして、結露部６０ｅを冷却側の電極板６０ｂから一体に突設して、その先端部を連結部７の隙間７ａに挿入した保水材８に挿入してある。
【００７７】
したがって、ペルチェユニット６０を作動させると、冷却側の電極板６０ｂによって結露部６０ｅが冷却され、その結露部６０ｅに空気中の水分が水滴ｄとなって結露する。すると、結露部６０ｅに結露した水滴ｄは送風によって下流側に順次押しやられて保水材８に含浸し、この保水材８から加湿部５ｂへと浸透していくことになる。
【００７８】
したがって、本実施形態によれば、第１実施形態と同様の作用効果を奏するのはもちろんのこと、液体供給部を冷却して空気中の水分を結露させるペルチェユニット６０によって構成したので、水分を補給することなく加湿部５ｂに水分を供給できるので、使い勝手を向上することができる。
【００７９】
なお、本実施形態にあっても、筒状加湿体５４は、第２実施形態に示すように内周面および外周面に加湿部５ｂ、５ｂ′を設けることが好ましく、また、第３実施形態に示すように空気通過孔５ｆを設けることが好ましい。
【００８０】
（第７実施形態）図１１は本発明の第７実施形態にかかるヘアドライヤーの送風路の断面図である。
【００８１】
本実施形態にかかる髪ケア装置としてのヘアドライヤー１Ｂには、送風ファン２により空気吸込口３ａから導入した空気を空気吹出口３ｂから吹き出す送風路３が形成されるとともに、当該送風路３内の送風を加湿する加湿ユニット４を備えている。
【００８２】
本実施形態にかかるヘアドライヤー１Ｂも、基本的には上記第１実施形態と同様の構成を備えるが、送風路３内に、当該送風路３内の送風を加熱するとともにその作動（作動／非作動、作動状態など）を切換可能なヒータ９を設けた点が、上記第１実施形態と相違している。
【００８３】
ヒータ９は、送風路３のほぼ中心軸上に配置した耐熱絶縁筒９ａと、この耐熱絶縁筒９ａの外周に螺旋状に巻回したニクロム線などの電熱線９ｂと、を有し、ヘアドライヤー１Ｂの図示省略したグリップにヒータ９のＯＮおよびＯＦＦを切り換えるスイッチを設けてある。したがって、そのスイッチをＯＮすることによりヒータ９が作動して空気吹出口３ｂから温風を吹き出すとともに、スイッチをＯＦＦすることによりヒータ９が作動停止して空気吹出口３ｂから冷風を吹き出すようになっている。
【００８４】
このとき、本実施形態では、ヒータ９を送風ファン２と加湿ユニット４の筒状加湿体５との間、つまり、送風ファン２の下流側で筒状加湿体５の上流側に配置し、そのヒータ９で加熱した送風を筒状加湿体５に当てるようにしてある。
【００８５】
したがって、本実施形態によれば、第１実施形態と同様の作用効果を奏するのはもちろんのこと、送風路３内にヒータ９を設けて送風路３内の送風を加熱するようにしたので、温風状態と冷風状態でそれぞれの状況に応じて加湿することができるようになり、整髪効果を増すことができる。
【００８６】
図１２は、第７実施形態の変形例にかかる髪ケア装置としてのヘアドライヤーの送風路の断面図である。
【００８７】
すなわち、本変形例のヘアドライヤー１Ｃは、送風ファン２の下流側にヒータ９を配置するのは第７実施形態と同様であるが、加湿ユニット４の筒状加湿体５をヒータ９の外周から適宜間隔を設けて同心状に配置してある。
【００８８】
したがって、本変形例によれば、ヒータ９で加熱した送風が直接筒状加湿体５に当たるのを抑制できるため、第７実施形態に比較して筒状加湿体５の耐久性を向上することができる。
【００８９】
なお、第７実施形態およびその変形例では第１実施形態と同様の加湿ユニット４を用いたが、これに限ることなく第２実施形態〜第５実施形態に示した加湿ユニット４０〜４４のいずれかを用いてもよい。
【００９０】
（第８実施形態）図１３は本発明の第８実施形態にかかるヘアドライヤーの送風路の断面図である。
【００９１】
本実施形態にかかる髪ケア装置としてのヘアドライヤー１Ｄには、送風ファン２により空気吸込口３ａから導入した空気を空気吹出口３ｂから吹き出す送風路３が形成されるとともに、当該送風路３内の送風を加湿する加湿ユニット４を設けてある。
【００９２】
ただし、本実施形態では、加湿ユニット４を、送風路３から分岐した分岐通路３１内に配置した点が、上記第１実施形態と相違している。
【００９３】
具体的には、送風路３の円筒状外郭３ｃの上側に分岐通路３１を形成し、加湿ユニット４の複数の筒状加湿体５を分岐通路３１の内側に配置するとともに、タンク６を分岐通路３１の上側外面に設置してある。
【００９４】
したがって、本実施形態によれば、第１実施形態と同様の作用効果を奏するのはもちろんのこと、加湿ユニット４を、送風路３から分岐した分岐通路３１内に配置したので、送風路３から吹き出す加湿されない送風と、分岐通路３１から吹き出す加湿された送風と、を適宜に使い分けることができる。
【００９５】
なお、本実施形態では第１実施形態と同様の加湿ユニット４を用いたが、これに限ることなく第２実施形態〜第５実施形態に示した加湿ユニット４０〜４４のいずれかを用いてもよい。
【００９６】
（第９実施形態）図１４は本発明の第９実施形態にかかるヘアドライヤーの送風路の断面図である。
【００９７】
本実施形態の髪ケア装置としてのヘアドライヤー１Ｅには、送風ファン２により空気吸込口３ａから導入した空気を空気吹出口３ｂから吹き出す送風路３が形成されるとともに、当該送風路３内の送風を加湿する加湿ユニット４が設けてある。
【００９８】
ただし、本実施形態では、送風路３の空気吹出口３ｂに、筒状加湿体５の空気出口５ｄを閉塞する閉塞体１０を設けた着脱部材１１を着脱自在に取り付けた点が、上記第１実施形態と相違している。
【００９９】
着脱部材１１は、送風路３の空気吹出口３ｂの形状に沿って環状に形成して、その空気吹出口３ｂに着脱自在に取り付けてある。他方、閉塞体１０は、先端部が筒状加湿体５の空気出口５ｄに嵌合する棒状に形成してあり、その閉塞体１０を着脱部材１１から送風路３内方に向かって突設してある。
【０１００】
このとき、閉塞体１０は複数の筒状加湿体５の全てに対応した本数を設けてもよいが、本実施形態では複数の筒状加湿体５のうちのいくつかに対応させて設けてあり、少なくとも一つの筒状加湿体５に対応させて設ければ足りる。
【０１０１】
したがって、本実施形態によれば、第１実施形態と同様の作用効果を奏するのはもちろんのこと、送風路３の空気吹出口３ｂに、複数の筒状加湿体５のうちいずれかの空気出口５ｄを閉塞する閉塞体１０を設けた着脱部材１１を着脱自在に取り付けたため、着脱部材１１を空気吹出口３ｂに装着した場合には、閉塞体１０によってそれに対応した筒状加湿体５を閉塞できるので、その筒状加湿体５による加湿機能を停止することができる。したがって、着脱部材１１を着脱することによりヘアドライヤー１Ｅの加湿量を調節することができる。
【０１０２】
図１５は、第９実施形態の変形例にかかるヘアドライヤーの送風路の断面図である。
【０１０３】
すなわち、本変形例にかかるヘアドライヤー１Ｆは、送風路３の空気吹出口３ｂに着脱自在に装着するノズル１２を着脱部材として利用し、そのノズル１２に閉塞体１０を設けてある。
【０１０４】
したがって、本変形例によれば、ノズル１２を装着して送風路３から吹き出す送風を集中させた際には、加湿量を減少させて調整することができ、整髪をより良好に行うことができる。
【０１０５】
なお、第９実施形態およびその変形例では第１実施形態と同様の加湿ユニット４を用いたが、これに限ることなく第２実施形態〜第５実施形態に示した加湿ユニット４０〜４４のいずれかを用いてもよい。
【０１０６】
（第１０実施形態）図１６は本発明の第１０実施形態にかかるヘアブラシの送風路の断面図である。
【０１０７】
本実施形態にかかる髪ケア装置としてのヘアブラシ１Ｇは、ブリスル群１００を突設した胴部１０１と、この胴部１０１から突設するグリップ部１０２と、によって概ね構成してあり、グリップ部１０２から胴部１０１に亘って送風路となる連続した空洞部１０３を形成してある。
【０１０８】
空洞部１０３は、グリップ部１０２の先端部に空気吸込口１０３ａを形成するとともに、胴部１０１のブリスル群１００を突設した中腹部に空気吹出口１０３ｂを形成してある。また、胴部１０１とグリップ部１０２との境界部近傍に設けた隔壁１０４の開口部１０４ａに送風ファン２を取り付けて、その送風ファン２を作動することにより、空気吸込口１０３ａから導入した空気を空気吹出口１０３ｂから吹き出すようになっている。
【０１０９】
そして、胴部１０１の空洞部１０３内に加湿ユニット４を配置してあり、加湿ユニット４は、第１実施形態と同様に複数の筒状加湿体５と液体供給部としてのタンク６とによって構成してある。複数の筒状加湿体５は胴部１０１の長さ方向に配列して送風ファン２と空気吹出口１０３ｂとの間に配置してあるとともに、タンク６は、ヘアブラシ１Ｇを図示する縦状態で使用することを前提として胴部１０１の空洞部１０３の先端部に配置してある。筒状加湿体５およびタンク６は第１実施形態と同様に構成してあり、その詳細な説明は省略する。
【０１１０】
したがって、本実施形態のヘアブラシ１Ｇによれば、送風ファン２の作動により空洞部１０３内に空気吸込口１０３ａから空気吹出口１０３ｂ方向に送風が発生し、その送風は空気吹出口１０３ｂの手前側で複数の筒状加湿体５を通過する。このため、空気吹出口１０３ｂから吹き出す送風を加湿することができ、毛髪を梳かす際に効果的に整髪することができる。
【０１１１】
もちろん、本実施形態にあっても第１実施形態と同様の加湿ユニット４を用いたが、これに限ることなく第２実施形態〜第５実施形態に示した加湿ユニット４０〜４４のいずれかを用いてもよい。
【０１１２】
（第１１実施形態）図１７は本発明の第１１実施形態にかかるヘアアイロンの送風路の断面図である。
【０１１３】
本実施形態にかかる髪ケア装置としてのヘアアイロン１Ｈは、一対の挟み部２００，２０１を回動部２０２を中心として回動自在に連結して構成してあり、それら両挟み部２００，２０１の対向面２００ａ，２０１ａには、それぞれアイロン板２０３，２０４を設けてある。そして、一方の挟み部２００に設けたアイロン板２０３をヒータ２０５によって加熱するようになっている。
【０１１４】
したがって、両方の挟み部２００，２０１を開いた状態で、毛髪を一対のアイロン板２０３，２０４の間に挟み、その後、挟み部２００，２０１を閉じて両アイロン板２０３，２０４間に毛髪を挟むことにより整髪することができる。
【０１１５】
ここで、本実施形態では、少なくとも一方の挟み部２００に送風路となる空洞部２０６を形成し、その空洞部２０６の回動部２０２側端部に空気吸込口２０６ａを形成するとともに、アイロン板２０３に空気吹出口２０６ｂを形成してある。そして、空洞部２０６内には、空気吸込口２０６ａ側近傍に送風ファン２を配置するとともに、空気吹出口２０６ｂを形成したアイロン板２０３の近傍に加湿ユニット４を配置してある。
【０１１６】
加湿ユニット４は、第１実施形態と同様に複数の筒状加湿体５と液体供給部としてのタンク６とによって構成してある。複数の筒状加湿体５は空気吹出口２０６ｂから吐出する送風方向に沿って配置してある。また、タンク６は、空洞部２０６内の先端部に配置してある。これら筒状加湿体５およびタンク６は第１実施形態と同様に構成してあり、その詳細な説明は省略する。
【０１１７】
したがって、本実施形態のヘアアイロン１Ｈよれば、送風ファン２の作動により空洞部１０３内に送風が発生すると、その送風は筒状加湿体５を通過した後に空気吹出口１０３ｂから一対のアイロン板２０３，２０４間に吹き出す。これにより、アイロン板２０３，２０４間に吹き出す送風は加湿状態となり、両アイロン板２０３，２０４間に挟んだ毛髪を効率良く整髪することができる。
【０１１８】
また、本実施形態にあっても第１実施形態と同様の加湿ユニット４を用いたが、これに限ることなく第２実施形態〜第５実施形態に示した加湿ユニット４０〜４４のいずれかを用いてもよい。
【０１１９】
以上、本発明の好適な実施形態について説明したが、本発明は上記実施形態には限定されず、種々の変形が可能である。例えば、ヘアドライヤー、ヘアブラシおよびヘアアイロン以外の髪ケア装置にあっても、もちろん、本発明を適用することができる。
【図面の簡単な説明】
【０１２０】
【図１】本発明の第１実施形態にかかる髪ケア装置としてのヘアドライヤーの送風路の断面図である。
【図２】本発明の第１実施形態にかかる髪ケア装置としてのヘアドライヤーの送風路の側面図である。
【図３】図１中III−III線に沿った断面図である。
【図４】本発明の第１実施形態にかかる髪ケア装置に含まれる加湿ユニットの一つの筒状加湿体と液体供給部とを示す拡大断面図である。
【図５】本発明の第２実施形態にかかる髪ケア装置に含まれる加湿ユニットの一つの筒状加湿体と液体供給部とを示す拡大断面図である。
【図６】本発明の第３実施形態にかかる髪ケア装置に含まれる加湿ユニットの一つの筒状加湿体と液体供給部とを示す拡大断面図である。
【図７】本発明の第４実施形態にかかる髪ケア装置に含まれる加湿ユニットの複数の筒状加湿体と液体供給部とを示す拡大断面図である。
【図８】本発明の第５実施形態にかかる髪ケア装置に形成される送風路の空気吹出口側の側面図である。
【図９】本発明の第６実施形態にかかる髪ケア装置としてのヘアドライヤーの送風路の断面図である。
【図１０】本発明の第６実施形態にかかる髪ケア装置に含まれる加湿ユニットの一つの筒状加湿体と液体供給部とを示す拡大断面図である。
【図１１】本発明の第７実施形態にかかる髪ケア装置としてのヘアドライヤーの送風路の断面図である。
【図１２】本発明の第７実施形態の変形例にかかる髪ケア装置としてのヘアドライヤーの送風路の断面図である。
【図１３】本発明の第８実施形態にかかる髪ケア装置としてのヘアドライヤーの送風路の断面図である。
【図１４】本発明の第９実施形態にかかる髪ケア装置としてのヘアドライヤーの送風路の断面図である。
【図１５】本発明の第９実施形態の変形例にかかる髪ケア装置としてのヘアドライヤーの送風路の断面図である。
【図１６】本発明の第１０実施形態にかかる髪ケア装置としてのヘアブラシの送風路の断面図である。
【図１７】本発明の第１１実施形態にかかる髪ケア装置としてのヘアアイロンの送風路の断面図である。
【符号の説明】
【０１２１】
１，１Ａ〜１Ｆ  ヘアドライヤー（髪ケア装置）
１Ｇ  ヘアブラシ（髪ケア装置）
１Ｈ  ヘアアイロン（髪ケア装置）
２  送風ファン
３  送風路
３ａ  空気吸込口
３ｂ  空気吹出口
３１  分岐通路
４，４０〜４４  加湿ユニット
５，５０〜５４  筒状加湿体
５ｂ，５ｂ′  加湿部
５ｃ  空気入口
５ｄ  空気出口
５ｅ  蒸気透過膜
５ｆ  空気透過孔
６  タンク（液体供給部）
６０  ペルチェユニット（液体生成部、液体供給部）
９  ヒータ
１０  閉塞体
１１  着脱部材
１２  ノズル（着脱部材）
１０３，２０６  空洞部（送風路）
１０３ａ，２０６ａ  空気吸込口
１０３ｂ，２０６ｂ  空気吹出口
【図１】
0004894744.tif 000002
【図２】
0004894744.tif 000003
【図３】
0004894744.tif 000004
【図４】
0004894744.tif 000005
【図５】
0004894744.tif 000006
【図６】
0004894744.tif 000007
【図７】
0004894744.tif 000008
【図８】
0004894744.tif 000009
【図９】
0004894744.tif 000010
【図１０】
0004894744.tif 000011
【図１１】
0004894744.tif 000012
【図１２】
0004894744.tif 000013
【図１３】
0004894744.tif 000014
【図１４】
0004894744.tif 000015
【図１５】
0004894744.tif 000016
【図１６】
0004894744.tif 000017
【図１７】
0004894744.tif 000018